(57)【要約】【課題】  簡単な構造で、摩擦音が発生せず、滑らかに摺動できることを可能にしたスライドレール部材及びスライドレール構造を提供する。【解決手段】  長尺で断面がコの字型の金属部材の内側２箇所の角部に、断面が円もしくは円筒の金属製丸型棒を溶接したスライドレール部材で、必要な長さに切断することにより、あらゆる長さのニーズに対応できることを特徴とするスライドレール部材と、このスライドレール部材を左右に配置し、それぞれのスライドレール部材にある上下２本の金属丸形棒の間に、両端部に樹脂製の緩衝物を接着固定した可動部材端部を挿入することにより、可動部材本体が摩擦音がなく滑らかに摺動できることを可能にしたことを特徴とするスライドレール構造を提供する。【選択図】     図１
2005168817.tif 000002
【特許請求の範囲】
【請求項１】
長尺で断面がコの字型の金属部材の内側上下２箇所の角部に、断面が円もしくは円    筒の金属製丸型棒をレールとして溶接した構造のスライドレール部材で、必要な長さ    に切断することにより、あらゆる長さのレールのニーズに対応できることを特徴とす    るスライドレール部材。
【請求項２】
請求項１のスライドレール部材において、これを一定の長さに切断し、開口側を向き合うように左右に配置し、両スライドレール部材内側にあるそれぞれ上下２本の金属製丸形棒の間に、両端部に樹脂製の緩衝物を接着固定した可動部材端部を挿入することにより、可動部材端部が上下の丸型金属棒をレールとしてそれらの間を適度な滑らかさで摺動できることを実現し、その結果、左右のスライドレール部材の間を可動部材本体が適度な滑らかさでスライド移動できることを可能にしたことを特徴とするスライドレール構造。
【請求項３】
長尺で断面がコの字型で、内側には１つまたは複数の半円形、あるいは１つの山形    または複数の山形等の凸型の曲線形状が上下に向き合うように配置した断面を有する  金属製または樹脂製のスライドレール部材で、必要な長さに切断することにより、あら  ゆる長さのレールのニーズに対応できることを特徴とするスライドレール部材。
【請求項４】
請求項３のスライドレール部材において、これを一定の長さに切断し、開口側を左右に向き合うように配置し、両スライドレール部材内側にある１つまたは複数の半円形、あるいは１つの山形または複数の山形等の曲線形状が向き合うように配置した断面がつくる上下の綾線の間に、両端部に樹脂製の緩衝物を接着固定した可動部材端部を挿入することにより、可動部材端部が上下の稜線の間を適度な滑らかさで摺動できることを実現し、その結果、左右のスライドレール部材の間を可動部材本体が適度な滑らかさでスライド移動できることを可能にしたことを特徴とするスライドレール構造。
【発明の詳細な説明】
【技術分野】
【０００１】
本発明は、インテリアや家具等に使用されるスライドレール部材及びスライドレール構造に関するものである。
【背景技術】
【０００２】
従来、インテリアや家具等で使われるスライドレール部材は数多く開発されている。    例えば、カーテンレール用あるいは移動式仕切壁用あるいは机の引き出し用等のスラ    イドレールなどがある。（特許文献１〜５参照）
【特許文献１】特開平１１−１９６９５９
【特許文献２】特願２００２−１２３２７２
【特許文献３】特願２００１−５５１３４８
【特許文献４】特開２００３−１２９７６５
【特許文献５】特開２００３−２０１８４６
【発明の開示】
【発明が解決しようとする課題】
【０００３】
これらのうちで、机の引き出し用や移動式照明器具等に使用されるスライドレールはその多くが、金属フレームを複雑に加工したり、ローラや歯車等を使用したりして複雑な構造になっている。また、摺動する部分が金属同士で接触しているために、移動において摩擦音が発生し、わずかな移動でもその音のために不快感を与えることがある。
本発明はこれらの欠点を除くためになされたものである。
【課題を解決するための手段】
【０００４】
上記課題を克服するための第１の手段は、長尺で断面がコの字型の金属部材の内側上下２箇所の角部に、断面が円もしくは円筒の金属製丸型棒をレールとして溶接した構造のスライドレール部材で、必要な長さに切断することにより、あらゆる長さのレールのニーズに対応できることを特徴とするスライドレール部材である。
【０００５】
上記課題を克服するための第２の手段は、請求項１のスライドレール部材において、これを一定の長さに切断し、開口側を向き合うように左右に配置し、両スライドレール部材内側にあるそれぞれ上下２本の金属製丸形棒の間に、両端部に樹脂製の緩衝物を接着固定した可動部材端部を挿入することにより、可動部材端部が上下の丸型金属棒をレールとしてそれらの間を適度な滑らかさで摺動できることを実現し、その結果、左右のスライドレール部材の間を可動部材本体が適度な滑らかさでスライド移動できることを可能にしたことを特徴とするスライドレール構造である。
【０００６】
上記課題を克服するための第３の手段は、長尺で断面がコの字型で、内側には１つまたは複数の半円形、あるいは１つの山形または複数の山形等の凸型の曲線形状が上下に向き合うように配置した断面を有する金属製または樹脂製のスライドレール部材で、必要な長さに切断することにより、あらゆる長さのレールのニーズに対応できることを特徴とするスライドレール部材である。
【０００７】
上記課題を克服するための第４の手段は、請求項３のスライドレール部材において、これを一定の長さに切断し、開口側を左右に向き合うように配置し、両スライドレール部材内側にある１つまたは複数の半円形、あるいは１つの山形または複数の山形等の曲線形状が向き合うように配置した断面がつくる上下の綾線の間に、両端部に樹脂製の緩衝物を接着固定した可動部材端部を挿入することにより、可動部材端部が上下の稜線の間を適度な滑らかさで摺動できることを実現し、その結果、左右のスライドレール部材の間を可動部材本体が適度な滑らかさでスライド移動できることを可能にしたことを特徴とするスライドレール構造である。
【発明の効果】
【０００８】
本発明のスライドレール部材及びスライドレール構造を使用すると、次の様な効果が生まれる。
ア  必要な長さに応じて切断して使用できるので広い用途に対応できる。
イ  構造が単純で、使用部品点数も少ないので、製作費用を低くすることができる。
ウ  移動が非常に滑らかで、摺動による摩擦音もほとんど発生しないので、静寂を要求      される屋内のインテリア等に広く使用ができる。
エ  レール部材の構造や形状が単純なので、一定範囲の負荷であれば耐久性がある。
【発明を実施するための最良の形態】
【０００９】
以下に、本発明を実施するための最良の形態を図１〜１１を使って説明する。最初に、  請求項１で示したレール部材は、図１、２のように、長尺で断面がコの字型の金属部材１の内側２箇所の角部に、断面が円もしくは円筒の金属製丸型棒２を図２のように一定の間隔でスポット溶接３を施すことにより固定したことを特徴とするスライドレール部材である。
このような単純な構造を有するスライドレールなので、許容範囲の負荷であれば耐久性が保たれる。また、用途に応じて必要な長さに切断することができるので、あらゆる長さのニーズに即座に対応できる。量産できれば商品としても安価になる。
【００１０】
請求項２で示したスライドレール構造は、請求項１のスライドレール部材を一定の長さに２本切断し、開口側を左右に向き合うように配置し、両スライドレール部材内側にあるそれぞれ上下２本の金属製丸型棒２の間に、両端部に樹脂製の緩衝物、例えば厚手の樹脂製シート４を接着固定した可動部材端部５を図３（ａ）（ｂ）のように挿入することにより、可動部材端部５が上下の金属製丸形棒の間を適度な滑らかさで摺動できることを実現し、その結果、左右のスライドレール部材の間を可動部材本体１２が適度な滑らかさでスライド移動できることを可能にしたことを特徴とするスライドレール構造である。樹脂製の緩衝物としての樹脂製シート４の材質は、例えばテフロン（登録商標）がある。適度な耐摩耗性や耐久性があれば素材はさまざま考えられる。裏面に接着剤が塗布されていることが必要である。
従来のスライドレール構造では、机の引き出し部やインテリア収納用として開発されたスライドレールは、その用途から、構造を強固にしなければならず、その分、部品点数も多く、構造も複雑になっている。また、そのためにローラーを用いた摺動部分からは金属と金属の摩擦により、摩耗音が発生し、不快感を生じることが多かった。本発明のスライドレール構造は、移動頻度が少なく、また負荷の程度も大きくなければ、いろいろな用途に使用できる。特に、構造が非常に簡単で、かつ金属丸型棒とテフロン（登録商標）シート等の樹脂製緩衝物との接触では、摩擦音が発生せず、きわめて滑らかに移動できる利点は利用価値が高い。
したがって、このスライドレール構造は、静けさを要求される環境、例えば病院や老人福祉施設、あるいは子供の勉強部屋内にあるインテリア家具等に適すると思われる。
【００１１】
請求項３で示したスライドレール部材は、長尺で断面がコの字型で、図４（ａ）のように内側には１つの半円形、あるいは図４（ｂ）のように２つの半円形、あるいは図４（ｃ）のように１つの山形、あるいは図４（ｄ）のように２つの山形等のさまざまな凸型の曲線形状が向き合うように配置した断面を有する金属製または硬質の樹脂製スライドレール部材６、７，８，９である。一例として、断面が２つの半円形のレール部材７の外観を表す斜視図は図５、断面が一つの山形のレール部材８の外観を表す斜視図は図６のようになる。これらは必要な長さに切断することにより、あらゆる長さのニーズに対応できることを特徴としている。なお、軽量化のために空洞部１１も設けている。いずれにしても、請求項１の金属製丸形棒を溶接したスライドレール部材に比べて、量産化に向いている。
【００１２】
請求項４で示したスライドレール構造は、請求項３のスライドレール部材を用いたスライドレール構造である。一例として、図５で示した２つの半円が向き合うように配置した断面を有する金属製スライドレール部材７において、これを一定の長さに２本切断し、左右に開口側を向き合う用に配置する。ここに、半円の断面がつくる上下の綾線の間に、両端部を樹脂製緩衝物としての樹脂製シート４を接着固定した可動部材端部５を図７（ａ）（ｂ）のように挿入することにより、可動部材端部５が稜線の間を適度な滑らかさで摺動できることを実現し、その結果、左右の金属製スライドレール部材７の間を可動部材本体１２が適度な滑らかさでスライド移動できることを可能にしたことを特徴とするスライドレール構造である。
もし、スライドレール部材６，７，８，９において、材質を金属製でなく硬質樹脂製に替えても、同様の効果が得られる。
【００１３】
本発明は以上のような構造で、これらを使用するときは、例えば請求項２のスライドレール構造を使用する場合には、図８のように、本発明の請求項１の２本のスライドレール部材の開口部を左右に向き合うように配置し、それぞれ２本の金属製丸型棒２の間に樹脂製シート４を取り付けた可動板部端部５を挿入することによって、可動部材本体１２は、水平方向に滑らかにそして静かに摺動できるようになる。したがって、この可動部材本体１２に、たとえば照明装置１０や鏡あるいはスピーカーや液晶テレビ等を固定すれば、屋内インテリアとして面白いものになる。
【００１４】
あるいは、請求項４のスライドレール構造を使用するときは、図９のように、本発明の請求項３のうちの１つで、１つの山形が上下に向き合うようになっている断面を持つ図４（ｃ）の金属製スライドレール部材８を２本、開口部が向き合うように左右に配置し、断面の山形がつくるそれぞれの上下の稜線の間に樹脂製シート４を取り付けた可動部材端部５を挿入することによって、可動部材本体１２は、水平方向に滑らかにそして静かに摺動できるようになる。したがって、この可動部材本体１２に、前記と同様、たとえば照明装置１０や鏡やスピーカーや液晶テレビ等を固定すれば、屋内インテリアとして付加価値が生まれる。図９のスライドレール構造では、請求項３の金属製のスライドレール８を採用しているが、もし硬質樹脂製のスライドレール部材を採用しても、同様の効果が得られる。いずれにしても、図９のスライドレール構造ならば、図８の金属製丸型棒のレールを採用する場合に比べて、製作が容易になり、軽量化も実現する。
【実施例１】
【００１５】
図１０（ａ）（ｂ）は、本発明のスライドレール部材の他の実施例１で、請求項１で示した本発明のスライドレール部材においてコの字型の鋼材１はそのままで、金属製丸型棒２の代わりに、金属製あるいは硬質の樹脂製のレール１３及び１４を溶接あるいは接着剤により取り付けたことを特徴とするスライドレール部材の断面図である。
図１０（ａ）は断面形状が１つの半円を有する形状になっていることを特徴とする金属製または樹脂製レール、図１０（ｂ）は断面形状が２つの半円形を有する形状になっていることを特徴とする金属製または樹脂製レールである。いずれも、断面がコの字の金属部材１を使用している。図１１は、図１０（ａ）で示されたスライドレール部材の外観を示す斜視図である。この場合、レール１３が金属製であればコの字型金属部材１に溶接で固定され、レール１３が樹脂製であれば、コの字型金属部材１に接着剤等により固定されることになる。
【図面の簡単な説明】
【００１６】
【図１】本発明の請求項１のスライドレール部材の端面を表す斜視図。
【図２】本発明の請求項１のスライドレール部材の外観を表す斜視図。
【図３】本発明の請求項２のスライドレール構造を表す断面図
【図４】(a)本発明の請求項３の１つの半円を有するスライドレール部材の断面図。        (b)本発明の請求項３の２つの半円を有するスライドレール部材の断面図。        (c)本発明の請求項３の１つの山形を有するスライドレール部材の断面図。        (d)本発明の請求項３の２つの山形を有するスライドレール部材の断面図。
【図５】本発明の請求項３の２つの半円を有するスライドレールの外観を表す斜視図。
【図６】本発明の請求項３の１つの山形を有するスライドレール部材の外観を表す図。
【図７】本発明の請求項４のスライドレール構造を表す断面図。
【図８】本発明の請求項２のスライドレール構造を採用した照明装置。
【図９】本発明の請求項４のスライドレール構造を採用した照明装置。
【図１０】（ａ）本発明の実施例１のスライドレール部材。          （ｂ）本発明の実施例２のスライドレール部材。
【図１１】本発明の実施例１のスライドレール部材の外観を表す斜視図。
【符号の説明】
【００１７】
１  断面がコの字型の金属部材
２  金属製丸形棒
３  スポット溶接部
４  樹脂製緩衝物、例えばテフロン（登録商標）シートなど
５  可動部材端部
６  請求項３のスライドレール部材の断面の一例
７  請求項３のスライドレール部材の断面の一例
８  請求項３のスライドレール部材の断面の一例
９  請求項３のスライドレール部材の断面の一例
１０  照明装置
１１  空洞部
１２  可動部材本体
１３  実施例１のスライドレール部材で使用するレール
１４  実施例２のスライドレール部材で使用するレール
【図１】
2005168817.tif 000003
【図２】
2005168817.tif 000004
【図３】
2005168817.tif 000005
【図４】
2005168817.tif 000006
【図５】
2005168817.tif 000007
【図６】
2005168817.tif 000008
【図７】
2005168817.tif 000009
【図８】
2005168817.tif 000010
【図９】
2005168817.tif 000011
【図１０】
2005168817.tif 000012
【図１１】
2005168817.tif 000013